(57)【要約】  本発明はバックコンタクト型太陽電池ストリング及びその製造方法、モジュール、システムに関する。本発明に係るバックコンタクト型太陽電池ストリングは、バックコンタクト型太陽電池と、バックコンタクト型太陽電池を電気的に接続する導電部材とを備え、バックコンタクト型太陽電池の裏面は交互に並んでいるエミッタｐ＋領域及びその上のエミッタコンタクト電極とベースｎ＋領域及びその上のベースコンタクト電極を備え、エミッタコンタクト電極上に設置されるエミッタ絶縁障壁層及びベースコンタクト電極上に設置されるベース絶縁障壁層をさらに備え、隣接するバックコンタクト型電池のエミッタコンタクト電極とベースコンタクト電極が導電部材によって電気的に接続されて、バックコンタクト型太陽電池ストリングを形成する。その技術的効果について、溶接のかわりに絶縁障壁層及び導電部材を用いて電池同士の直列接続を実現し、プロセスがシンプルで、高精度の溶接装置が不要であり、且つモジュールの充填率を向上させる。
2019523564.tif 000002
【特許請求の範囲】
【請求項１】
バックコンタクト型太陽電池と、バックコンタクト型太陽電池を電気的に接続する導電部材とを備え、前記バックコンタクト型太陽電池の裏面は交互に並んでいるエミッタｐ＋領域とベースｎ＋領域を備え、前記エミッタｐ＋領域にエミッタコンタクト電極が設置され、前記ベースｎ＋領域にベースコンタクト電極が設置されるバックコンタクト型太陽電池ストリングであって、
前記バックコンタクト型太陽電池の裏面はエミッタコンタクト電極上に設置されるエミッタ絶縁障壁層及びベースコンタクト電極上に設置されるベース絶縁障壁層をさらに備え、前記バックコンタクト型太陽電池のエミッタコンタクト電極と、隣接するバックコンタクト型太陽電池のベースコンタクト電極とが導電部材によって電気的に接続されることを特徴とするバックコンタクト型太陽電池ストリング。
【請求項２】
前記導電部材は金属導電ストリップ及び金属導電ストリップ上に設置される導電性接着剤であることを特徴とする請求項１に記載のバックコンタクト型太陽電池ストリング。
【請求項３】
前記バックコンタクト型太陽電池は抵抗率が１−３０Ω・ｃｍ、厚さが５０−３００μｍであり、前記エミッタｐ＋領域と前記ベースｎ＋領域は太陽電池基板の裏面に長尺状に交互に分布し、エミッタｐ＋領域とベースｎ＋領域に、電池の裏面をパッシベーションする誘電体パッシベーション層がさらに設置されることを特徴とする請求項１に記載のバックコンタクト型太陽電池ストリング。
【請求項４】
前記エミッタｐ＋領域の幅は２００−３０００μｍ、前記ベースｎ＋領域の幅は１００−１０００μｍであり、前記エミッタ絶縁障壁層の幅はエミッタｐ＋領域の幅以上、前記ベース絶縁障壁層の幅はベースｎ＋領域の幅以上であることを特徴とする請求項１に記載のバックコンタクト型太陽電池ストリング。
【請求項５】
バックコンタクト型太陽電池は電池セルを等間隔に切断した幅狭長尺状のバックコンタクト型太陽電池であり、幅狭長尺状のバックコンタクト型太陽電池の幅が２０ｍｍ−８０ｍｍであることを特徴とする請求項１に記載のバックコンタクト型太陽電池ストリング。
【請求項６】
前記エミッタコンタクト電極は銀アルミニウム電極、前記ベースコンタクト電極は銀電極であり、前記バックコンタクト型太陽電池はバックコンタクト型Ｎ型単結晶シリコン太陽電池であることを特徴とする請求項１に記載のバックコンタクト型太陽電池ストリング。
【請求項７】
前記エミッタ絶縁障壁層と前記ベース絶縁障壁層がそれぞれバックコンタクト型太陽電池のエッジに設置され、隣接するバックコンタクト型太陽電池のエミッタコンタクト電極がエミッタ絶縁障壁層によって絶縁し、隣接するバックコンタクト型太陽電池のベースコンタクト電極がベース絶縁障壁層によって絶縁することを特徴とする請求項１〜６のいずれか一項に記載のバックコンタクト型太陽電池ストリング。
【請求項８】
太陽電池基板の裏面に交互に並んでいるエミッタｐ＋領域とベースｎ＋領域を形成し、スクリーン印刷技術を用いてエミッタｐ＋領域とベースｎ＋領域に金属ペーストを印刷し、焼結して、エミッタｐ＋領域に接触するエミッタコンタクト電極、ベースｎ＋領域に接触するベースコンタクト電極を形成するステップ(１)と、
スクリーン印刷技術を用いて絶縁ペーストをエミッタコンタクト電極とベースコンタクト電極の表面に交互に印刷し、乾燥させてエミッタ絶縁障壁層とベース絶縁障壁層を形成するステップ（２）と、
絶縁障壁層の中心に沿ってバックコンタクト型太陽電池基板を切断して複数の幅狭長尺状のバックコンタクト型電池を形成するステップ（３）と、
幅狭長尺状のバックコンタクト型電池を規則的に配列し、隣接する電池の境界部に導電部材を敷設し、隣接するバックコンタクト型太陽電池のエミッタコンタクト電極とベースコンタクト電極を導電部材によって電気的に接続して、バックコンタクト型太陽電池ストリングを形成するステップ（４）と、を含むことを特徴とするバックコンタクト型太陽電池ストリングの製造方法。
【請求項９】
ステップ（１）では、太陽電池基板がＮ型単結晶シリコン基板、金属ペーストの焼結温度が３００−１２００℃であることを特徴とする請求項８に記載のバックコンタクト型太陽電池ストリングの製造方法。
【請求項１０】
ステップ（２）では、エミッタ絶縁障壁層とベース絶縁障壁層が列状に分布し、各列のエミッタ絶縁障壁層がエミッタコンタクト電極を被覆し、ベースコンタクト電極を被覆せず、各列のベース絶縁障壁層がベースコンタクト電極を被覆し、エミッタコンタクト電極を被覆しないことを特徴とする請求項８に記載のバックコンタクト型太陽電池ストリングの製造方法。
【請求項１１】
ステップ（２）では、太陽電池基板上に２列のエミッタ絶縁障壁層と１列のベース絶縁障壁層を印刷し、又は３列のエミッタ絶縁障壁層と２列のベース絶縁障壁層を印刷することを特徴とする請求項８に記載のバックコンタクト型太陽電池ストリングの製造方法。
【請求項１２】
太陽電池ストリングを備える太陽電池モジュールであって、前記太陽電池ストリングが請求項１〜７のいずれか一項に記載のバックコンタクト型太陽電池ストリングであることを特徴とする太陽電池モジュール。
【請求項１３】
１つ以上の太陽電池モジュールを備える太陽電池システムであって、前記太陽電池モジュールが請求項１２に記載の太陽電池モジュールであることを特徴とする太陽電池システム。
【発明の詳細な説明】
【技術分野】
【０００１】
本発明は太陽電池の技術分野に関し、具体的にはバックコンタクト型太陽電池ストリング及びその製造方法、モジュール、システムに関する。
【背景技術】
【０００２】
太陽電池は光エネルギーを電気エネルギーに変換する半導体デバイスであり、低製造コスト及び高エネルギー変換効率は太陽電池業界において従来から追求されてきた目標である。従来の普通の太陽電池は、エミッタコンタクト電極とベースコンタクト電極がそれぞれ電池セルの前面と裏面に位置する。電池の前面は受光面であり、前面金属エミッタコンタクト電極の被覆のため、入射した太陽光の一部が金属電極によって反射され遮蔽され、一部の光損失を招いてしまう。普通の結晶シリコン太陽電池は前面金属電極の被覆面積が７％程度であり、金属電極の前面被覆の減少によって電池のエネルギー変換効率を直接向上させることができる。バックコンタクト型太陽電池はエミッタ及びベースコンタクト電極がともに電池の裏面（非受光面）に設置されたものであり、該電池の受光面に金属電極の遮蔽がなく、それにより電池セルの短絡電流を効果的に増加させ、電池セルのエネルギー変換効率を向上させる。
【０００３】
バックコンタクト構造の太陽電池は従来からソーラー工業化によって量産された結晶シリコン太陽電池のうちエネルギー変換効率が最も高い電池であり、その高い変換効率や低いモジュール実装コストによって人々に好まれている。従来のバックコンタクト型太陽電池の製造プロセスでは、その金属化プロセスはほとんどのプロセスが複雑なめっきによって実現され、該方法は、バックコンタクト型電池の直列抵抗の低減、電池の開回路電圧の向上に優れた性能を示しているが、プロセスが複雑で、排出される廃棄物が深刻な環境汚染につながり、且つ現在の工業生産の主流の金属化方法と互換性がなく、従って、低コストの工業化に不利である。また、バックコンタクト型電池を実装してモジュールを形成する過程では、エミッタ及びベース電極の数が多く、線幅が狭く、隣接する電池間の位置合わせ溶接が非常に困難である。一方、電池を実装してモジュールを形成する過程では、電力損失の大部分は溶接抵抗及びはんだリボン抵抗によるものであり、電池セルの短絡電流が高いほど、この部分の電力損失が大きい。
【発明の概要】
【発明が解決しようとする課題】
【０００４】
本発明は、従来技術の欠陥に対して、変換効率が高く、モジュール損失が低く、溶接が不要なスクリーン印刷技術に基づく新型バックコンタクト型太陽電池ストリング及びその製造方法、モジュール、システムを提供することを目的とする。
【課題を解決するための手段】
【０００５】
本発明はバックコンタクト型太陽電池ストリングを提供し、その技術案は以下のとおりである。
【０００６】
バックコンタクト型太陽電池ストリングであって、バックコンタクト型太陽電池と、バックコンタクト型太陽電池を電気的に接続する導電部材とを備え、バックコンタクト型太陽電池の裏面は交互に並んでいるエミッタｐ＋領域とベースｎ＋領域を備え、エミッタｐ＋領域にエミッタコンタクト電極が設置され、ベースｎ＋領域にベースコンタクト電極が設置され、バックコンタクト型太陽電池の裏面はエミッタコンタクト電極上に設置されるエミッタ絶縁障壁層及びベースコンタクト電極上に設置されるベース絶縁障壁層をさらに備え、隣接するバックコンタクト型太陽電池のエミッタコンタクト電極とベースコンタクト電極が導電部材によって電気的に接続される。
【０００７】
導電部材は金属導電ストリップ及び金属導電ストリップ上に設置される導電性接着剤であり、バックコンタクト型太陽電池の前面に前面フィールドとパッシベーション反射防止膜が設置され、バックコンタクト型太陽電池の裏面にパッシベーション膜が設置される。
【０００８】
バックコンタクト型太陽電池は抵抗率が１−３０Ω・ｃｍ、厚さが５０−３００μｍであり、エミッタｐ＋領域とベースｎ＋領域は太陽電池基板の裏面に長尺状に交互に分布し、エミッタｐ＋領域とベースｎ＋領域に電池の裏面をパッシベーションする誘電体パッシベーション層がさらに設置される。
【０００９】
エミッタｐ＋領域の幅は２００−３０００μｍ、ベースｎ＋領域の幅は１００−１０００μｍであり、エミッタ絶縁障壁層の幅はエミッタｐ＋領域の幅以上、ベース絶縁障壁層の幅はベースｎ＋領域の幅以上である。
【００１０】
バックコンタクト型太陽電池は電池セルを等間隔に切断してなる幅狭長尺状のバックコンタクト型太陽電池であり、幅狭長尺状のバックコンタクト型太陽電池の幅が２０ｍｍ−８０ｍｍである。
【００１１】
エミッタコンタクト電極は銀アルミニウム電極、ベースコンタクト電極は銀電極であり、バックコンタクト型太陽電池はバックコンタクト型Ｎ型単結晶シリコン太陽電池である。
【００１２】
エミッタ絶縁障壁層とベース絶縁障壁層がそれぞれ幅狭長尺状のバックコンタクト型太陽電池のエッジに設置され、隣接する幅狭長尺状のバックコンタクト型太陽電池のエミッタコンタクト電極がエミッタ絶縁障壁層によって絶縁し、隣接する幅狭長尺状のバックコンタクト型太陽電池のベースコンタクト電極がベース絶縁障壁層によって絶縁する。
【００１３】
本発明はバックコンタクト型太陽電池ストリングの製造方法をさらに提供し、
太陽電池基板の裏面に交互に並んでいるエミッタｐ＋領域とベースｎ＋領域を形成し、スクリーン印刷技術を用いてエミッタｐ＋領域とベースｎ＋領域に金属ペーストを印刷し、焼結して、エミッタｐ＋領域に接触するエミッタコンタクト電極、ベースｎ＋領域に接触するベースコンタクト電極を形成するステップ（１）と、
スクリーン印刷技術を用いて絶縁ペーストをエミッタコンタクト電極とベースコンタクト電極の表面に交互に印刷し、乾燥させてエミッタ絶縁障壁層とベース絶縁障壁層を形成するステップ（２）と、
絶縁障壁層の中心に沿ってバックコンタクト型太陽電池基板を切断して複数の幅狭長尺状のバックコンタクト型電池を形成するステップ（３）と、
幅狭長尺状のバックコンタクト型電池を規則的に配列し、隣接する電池の境界部に導電部材を敷設し、隣接するバックコンタクト型太陽電池のエミッタコンタクト電極とベースコンタクト電極を導電部材によって電気的に接続して、バックコンタクト型太陽電池ストリングを形成するステップ（４）と、を含む。
【００１４】
ステップ（１）では、太陽電池基板がＮ型単結晶シリコン基板、金属ペーストの焼結温度が３００−１２００℃である。
【００１５】
ステップ（２）では、エミッタ絶縁障壁層とベース絶縁障壁層が列状に分布し、各列のエミッタ絶縁障壁層がエミッタコンタクト電極を被覆し、ベースコンタクト電極を被覆せず、各列のベース絶縁障壁層がベースコンタクト電極を被覆し、エミッタコンタクト電極を被覆しない。
【００１６】
ステップ（２）では、太陽電池基板上に２列のエミッタ絶縁障壁層と１列のベース絶縁障壁層を印刷し、又は３列のエミッタ絶縁障壁層と２列のベース絶縁障壁層を印刷し、或いは太陽電池基板上に２列のベース絶縁障壁層と１列のエミッタ絶縁障壁層を印刷し、又は３列のベース絶縁障壁層と２列のエミッタ絶縁障壁層を印刷する。
【００１７】
本発明は太陽電池モジュールをさらに提供し、太陽電池ストリングを備え、太陽電池ストリングが上記バックコンタクト型太陽電池ストリングである。
【００１８】
本発明は太陽電池システムをさらに提供し、１つ以上の太陽電池モジュールを備え、太陽電池モジュールが上記太陽電池モジュールである。
【発明の効果】
【００１９】
本発明の有益な効果について、
本発明は溶接のかわりに導電部材を用いてバックコンタクト型電池同士の直列接続を実現することで、操作がシンプルで、高精度の位置合わせ溶接装置が不要であるとともに、導電部材がさらに横方向バスバーとして機能し、キャリアの電極間での横方向伝送損失を減少させ、電池の充填率を向上させ、一体式ではない幅狭長尺状電池を直列接続することで、モジュールの短絡電流を低減させ、それによりモジュールの実装損失を大幅に低減させる。
【図面の簡単な説明】
【００２０】
【図１】図１は本発明の実施例に係るバックコンタクト型太陽電池ストリングの製造方法のステップ１後の裏面構造の模式図である。
【図２】図２は本発明の実施例に係るバックコンタクト型太陽電池ストリングの製造方法のステップ２後の裏面構造の模式図である。
【図３】図３は本発明の実施例に係るバックコンタクト型太陽電池ストリングの製造方法のステップ３後の幅狭長尺状のバックコンタクト型電池の裏面構造の模式図である。
【図４】図４は本発明の実施例に係るバックコンタクト型太陽電池ストリングの製造方法のステップ４中の幅狭長尺状のバックコンタクト型電池の配列模式図である。
【図５】図５は本発明の実施例に係るバックコンタクト型太陽電池ストリングの導電部材の構造模式図である。
【図６】図６は本発明の実施例に係るバックコンタクト型太陽電池ストリングの製造方法のステップ４で導電部材によって直列接続された幅狭長尺状のバックコンタクト型電池の模式図である。
【発明を実施するための形態】
【００２１】
以下、実施例及び図面を参照して本発明を詳細に説明する、なお、後述する実施例は本発明の理解を説明するためのものであり、本発明を限定しない。
【００２２】
図４〜図６に示すように、本実施例に係るバックコンタクト型太陽電池ストリングは、バックコンタクト型太陽電池と、バックコンタクト型太陽電池を電気的に接続する導電部材とを備える。バックコンタクト型太陽電池の裏面は交互に並んでいるエミッタｐ＋領域１０とベースｎ＋領域１１を備える。エミッタｐ＋領域１０にエミッタコンタクト電極２０が設置され、ベースｎ＋領域１１にベースコンタクト電極２１が設置される。バックコンタクト型太陽電池の裏面はエミッタコンタクト電極２０上に設置されるエミッタ絶縁障壁層３０及びベースコンタクト電極２１上に設置されるベース絶縁障壁層３１をさらに備え、隣接するバックコンタクト型太陽電池のエミッタコンタクト電極２０とベースコンタクト電極２１が導電部材によって電気的に接続される。導電部材は金属導電ストリップ４１及び金属導電ストリップ４１上に設置されるストリップ導電性接着剤４０である。本実施例に係るバックコンタクト型太陽電池ストリングは変換効率が高く、溶接が不要で、製造コストを低減させる。上記バックコンタクト型太陽電池ストリングはスクリーン印刷技術を用いてバックコンタクト型太陽電池の金属化プロセスを実現し、プロセスを簡素化する。且つ従来の生産ラインに新たな金属化装置を導入せずに済み、溶接のかわりに導電部材を用いて電池同士の直列接続を実現することで、操作がシンプルで、高精度の位置合わせ溶接装置が不要であるとともに、導電部材がさらに横方向横方向バスバーとして機能し、キャリアの電極間での横方向伝送損失を減少させ、電池の充填率を向上させる。
【００２３】
好適には、バックコンタクト型太陽電池は６インチの電池セルを等間隔に切断してなる２−６個の幅狭長尺状のバックコンタクト型太陽電池である。幅狭長尺状のバックコンタクト型太陽電池は幅が２０ｍｍ−８０ｍｍ、好適には２６ｍｍ−７８ｍｍであり、長さが１５６−１６２ｍｍであり、一体式ではない幅狭長尺状電池を直列接続することで、モジュールの短絡電流を低減させ、それによりモジュールの実装損失を大幅に低減させる。
【００２４】
更に好適には、バックコンタクト型太陽電池の前面にパッシベーション反射防止膜が設置され、バックコンタクト型太陽電池の裏面にパッシベーション膜が設置される。バックコンタクト型太陽電池は抵抗率が１−３０Ω・ｃｍ、厚さが５０−３００μｍである。エミッタｐ＋領域１０の幅は２００−３０００μｍ、ベースｎ＋領域１１の幅は１００−１０００μｍである。エミッタ絶縁障壁層３０の幅はエミッタｐ＋領域１０の幅以上、ベース絶縁障壁層３１の幅はベースｎ＋領域１１の幅以上である。エミッタコンタクト電極２０は銀アルミニウム電極、ベースコンタクト電極２１は銀電極であり、バックコンタクト型太陽電池はバックコンタクト型Ｎ型単結晶シリコン太陽電池である。エミッタｐ＋領域１０とベースｎ＋領域１１は太陽電池基板に幅狭長尺状に交互に分布している。エミッタ絶縁障壁層３０とベース絶縁障壁層３１はそれぞれ幅狭長尺状のバックコンタクト型太陽電池のエッジに設置され、隣接するバックコンタクト型太陽電池のエミッタコンタクト電極２０がエミッタ絶縁障壁層３０によって絶縁し、隣接するバックコンタクト型太陽電池のベースコンタクト電極２１がベース絶縁障壁層３１によって絶縁する。
【００２５】
本実施例に係るバックコンタクト型太陽電池ストリングの製造方法は、ステップ（１）〜ステップ（４）を含む。
【００２６】
ステップ（１）では、エミッタｐ＋領域１０とベースｎ＋領域１１がシリコン基板の裏面に交互に並んだバックコンタクト型太陽電池を製造する。本実施例では、抵抗率が１−３０Ω・ｃｍ、厚さが５０−３００μｍのＮ型単結晶シリコン基板を使用する。Ｎ型結晶シリコン基板の使用前、まず表面テクスチャリング処理を行い、次に拡散又はイオン注入、マスク、エッチング等の技術を用いて電池エミッタｐ＋領域１０とベースｎ＋領域１１を電池の裏面に交互に並べる。さらに酸化ケイ素、窒化ケイ素及び酸化アルミニウム等の誘電体膜を用いて電池の裏面のパッシベーションと前面のパッシベーション及び光反射防止を行い、所要のエミッタｐ＋領域１０とベースｎ＋領域１１がシリコン基板の裏面に交互に並んだ太陽電池を形成する。各列のエミッタｐ＋領域１０の幅は２００−３０００μｍ、ベースｎ＋領域１１の幅は１００−２０００μｍである。金属ペーストを印刷して、エミッタｐ＋領域１０とベースｎ＋領域１１にオーミックコンタクトする金属電極（フィンガー）を形成する。エミッタｐ＋領域１０に接触するエミッタコンタクト電極２０が銀アルミニウム電極、ベースｎ＋領域１１に接触するベースコンタクト電極２１が銀電極である。これら２種の金属電極がスクリーン印刷の方式によってそれぞれシリコン基板裏面のエミッタｐ＋領域１０とベースｎ＋領域１１に印刷される。電極の幅はその位置するドーピング領域の幅以下とする。印刷終了後、一次焼結してオーミックコンタクトを形成する。焼結温度は３００−１２００℃である。完成された電池の裏面構造は図１に示される。
【００２７】
ステップ（２）では、図２に示すように、スクリーン印刷技術を用いて電極の表面に絶縁障壁層を選択的に被覆してエミッタコンタクト電極２０とベースコンタクト電極２１との選択的絶縁を実現する。絶縁障壁層の幅はその位置するドーピング領域の幅以下とする。印刷終了後、乾燥温度１００−６００℃で乾燥処理して、エミッタコンタクト電極２０とベースコンタクト電極２１との選択的絶縁を実現し、バックコンタクト型太陽電池基板の作製を完了する。
【００２８】
スクリーン印刷によって形成された絶縁障壁層はエミッタコンタクト電極２０上に設置されるエミッタ絶縁障壁層３０及びベースコンタクト電極２１上に設置されるベース絶縁障壁層３１を備える。エミッタ絶縁障壁層３０とベース絶縁障壁層３１は列状に分布する。列状のエミッタ絶縁障壁層３０と列状のベース絶縁障壁層３１の列は長尺状のエミッタｐ＋領域と長尺状のベースｎ＋領域に垂直である。各列のエミッタ絶縁障壁層３０はエミッタコンタクト電極２０を被覆し、ベースコンタクト電極２１を被覆しない。各列のベース絶縁障壁層３１はベースコンタクト電極２１を被覆し、エミッタコンタクト電極２０を被覆しない。エミッタ絶縁障壁層３０の幅はエミッタｐ＋領域１０の幅以上、ベース絶縁障壁層３１の幅はベースｎ＋領域１１の幅以上である。
【００２９】
好適には、太陽電池全体に複数列の絶縁障壁層が印刷される。図２示されるように、２列のエミッタ絶縁障壁層３０と１列のベース絶縁障壁層３１が印刷され、切断して２つの幅狭長尺状のバックコンタクト型電池を形成するようにしてもよい。３列のエミッタ絶縁障壁層３０と２列のベース絶縁障壁層３１が印刷され、切断して４つの幅狭長尺状のバックコンタクト型電池を形成するようにしてもよい。具体的な数量は実際の生産状況に応じて調整できる。
【００３０】
ステップ（３）では、図３に示すように、本実施例では、好適には、２列のエミッタ絶縁障壁層３０と１列のベース絶縁障壁層３１を印刷したバックコンタクト型電池であり、切断装置を用いてベース絶縁障壁層３１の中心に沿ってバックコンタクト型太陽電池基板を対称的に切断して２つの幅狭長尺状のバックコンタクト型電池を形成する。電池の寸法は１５６ｍｍ＊１５６ｍｍであり、切断後の幅狭長尺状のバックコンタクト型電池の幅は７８ｍｍである。
【００３１】
ステップ（４）では、幅狭長尺状のバックコンタクト型電池を図４に示されるように配列し、次に隣接する電池の境界部に、導電部材は金属導電ストリップ４１及び金属導電ストリップ４１上に設置される導電性接着剤４０（図５参照）を備える導電部材を敷設し、隣接する電池のエミッタコンタクト電極２０とベースコンタクト電極２１を導電部材によって電気的に接続する（接続後の模式図が図６に示される）。金属導電ストリップ４１の材料として、銅又はアルミニウム又はほかの導電性材料が挙げられる。金属導電ストリップ４１によって直列抵抗を低減させ、直列損失を減少させる。ここまでで、本発明に係るバックコンタクト型太陽電池ストリングの製造が完了する。
【００３２】
本実施例は太陽電池モジュールをさらに提供し、太陽電池ストリングを備え、太陽電池ストリングが上記バックコンタクト型太陽電池ストリングである。
【００３３】
本実施例は太陽電池システムをさらに提供し、１つ以上の太陽電池モジュールを備え、太陽電池モジュールが上記太陽電池モジュールである。
【００３４】
なお、以上の実施例は本発明の技術案を説明するためのものであり、本発明の保護範囲を限定するものではなく、好適実施例を参照して本発明を詳細に説明したが、当業者であれば、本発明の技術案の趣旨及び範囲を逸脱せずに、本発明の技術案を変更したり同等置換したりすることができると理解できる。
【図１】
2019523564.tif 000003
【図２】
2019523564.tif 000004
【図３】
2019523564.tif 000005
【図４】
2019523564.tif 000006
【図５】
2019523564.tif 000007
【図６】
2019523564.tif 000008
【国際調査報告】
2019523564.tif 000009
2019523564.tif 000010
2019523564.tif 000011
2019523564.tif 000012